(57)【要約】【課題】ペット用固定保持機構を提供する。【解決手段】本考案のペット用固定保持機構１は、移動可能な固定保持機本体１０及び水平、多角度調整が可能な調整装置２０とからなり、調整装置２０は固定保持機本体１０の上部位置に設置され、前記固定保持機本体１０と調整装置２０により構成される固定保持機構１により、移動可能な固定部材及び、固定部材の調整が可能な調整装置の機能を達成する。これによりペットの洗浄、理容、診察時におけるペットの体や四肢が適切に固定され、診察者や飼い主の負担を軽減することができる。【選択図】図１
0003107598.tif 000002
【実用新案登録請求の範囲】
【請求項１】
ペット用固定保持機構であって、前記固定保持機構は、移動可能な固定保持機本体、及び水平、多角度調整が可能な調整装置とからなり、前記調整装置は前記固定保持機本体の上部位置に設置され、
前記固定保持機本体は、ベース、取手、前，後輪ユニット及び前，後脚架ユニットからなり、前記前，後輪ユニット及び前記前，後脚架ユニットは、前記ベースの底部に位置し、前記取手は、前記ベースの上部位置の前縁位置に設けられ、全体の移動が可能に構成され、
前記調整装置は、水平調整機構、押圧調整機構及び前，後ベースとからなり、前記前，後ベースは、相対する位置で前記固定保持機本体ベースの上面に設置され、前記水平調整機構は、前記前，後ベースの底部の所定位置を貫通して設けられて、前記固定保持機本体ベースの上部位置に設置され、前記押圧調整機構はそれぞれ前記調整装置の前，後ベースの上部位置に設置されて、全体の水平調整、押圧角度調整が可能に構成してなり、
前記固定保持機本体及び水平、多角度調整が可能な調整装置の組み立てにより、ペット用固定保持機構を構成し、ペットの洗浄、理容、診察が容易に行えるようにしたことを特徴とするペット用固定保持機構。
【請求項２】
前記ベース内側底縁の前後に、それぞれ孔槽及び孔槽に近接する所定位置に、開孔を有する収容空間を備え、前記前，後輪ユニットは、車軸両端から軸設されたホイールと、前記ホイール外側表面のホイールカバーと共に前記車軸上に枢支され、かつ前記車軸上には所定の長さを有するボルトが枢設され、前記ボルトは、対応する前記ベース内側底縁前後に設置された前記孔槽に挿接され、前記脚架ユニットは、軸棒と、前記軸棒両端に枢支された脚架とからなり、前記脚架は、貫通する開孔を有し、前記ベース内側底縁の前後に設けられた前記収容空間内に設置され、前記軸棒により貫通して軸設され、前記脚架底部に、滑り止めパッドを加設し、前記ベースの上部位置の前縁に開孔を設けると共に、取手のした端部が装着されるようになっていることを特徴とする請求項１に記載のペット用固定保持機構。
【請求項３】
前記調整装置の前，後ベース底部中間の所定位置に、前後方向に貫通する軸孔に配設された前記水平調整機構は、前，中，後の軸座、基軸及び固定部材を備え、前記固定部材は、それぞれ前記各ベースの軸孔上に位置し、緊束リング、挟着キャップ及び固定片からなり、前記固定片は、前記挟着キャップの外円に嵌合されると共に、ねじ係合方式で前記調整装置の各ベースに固定され、前記緊束リングは、前記挟着キャップ前端に嵌合してなり、さらに前記基軸は、前，後固定部材、前，後ベース及び各ベース間の中間軸座の軸孔を貫通すると共に、前記基軸両端を固定し、水平支承の目的を達成することができるようにしたことを特徴とする請求項１に記載のペット用固定保持機構。
【請求項４】
前記前，後ベースは、L字型に近似した形状をなし、垂直上向きに延伸する折曲部の側辺所定位置に、前記各ベースを貫通する軸孔を有し、前記前，後押圧調整機構は、押圧棒、調整棒、固定部材、連接ブロック、挟接片、間隔スリーブ及び軸棒からなり、前記固定部材は、連接ブロックの上部位置に配置されると共に、前記調整装置の前，後ベース両側に設置され、前記軸孔を貫通する緊束リング、挟着キャップ及び固定片からなり、前記固定片は、前記挟着キャップの外円に嵌合すると共に、ねじ係合方式で前記連接ブロック上に固定され、前記緊束リングは、前記挟着キャップ前端に嵌合して、前記調整棒の一端は前記固定部材及び前記連接ブロックの軸孔を貫通し、もう一端は、押圧棒両端により、前記調整棒の枢支孔に枢支し、前記軸棒は、前記各ベースの軸孔を貫通し、前記軸棒両端に、間隔スリーブを配置した後、更に、挟着片で、前記軸棒を嵌入し、ねじ係合方式で前記連接ブロックの側面に固定し、押圧、及び角度調整の目的を達成することを特徴とする請求項１に記載のペット用固定保持機構。
【請求項５】
前記固定保持機本体のベースの上部位置に、トラックを設け、前記トラック表面に、前，中，後の孔槽を設け、前記調整装置の組み立て完了後、前記水平調整機構の前，中，後軸座が、前記トラック表面に設置された前記孔槽に対応して位置決めし、前記調整装置の前，後ベース底部中間の適所に、トラック槽を形成し、前記トラック槽は、前記トラックに対応することを特徴とする請求項１に記載のペット用固定保持機構。
【請求項６】
前記調整装置の前，後ベースの相対する前縁頂面部が、湾曲する凹弧部を有することを特徴とする請求項１に記載のペット用固定保持機構。
【考案の詳細な説明】
【技術分野】
【０００１】
本考案は、犬・猫等の愛玩動物（ペット）の洗浄や理容或いは診察に便利なペット用固定保持機構に関するものであって、特に、洗浄、理容、診察時に、ペットの動きを防止しかつ姿勢を所望状態に固定調整すると共に、固定保持機構を所望位置に移動可能としたペット用固定保持機構に関するものである。
【背景技術】
【０００２】
生活水準の向上により、衣食住や楽のクオリティに対する消費者の要求も、日増しに高くなっている。消費者は生活の多彩さを追及し、ペットを飼うことが一種の流行となり、人間同士の交流以外に人とペットとの共存共生を求める人が増えている。一般に飼われるのは、主人に忠実な犬や猫で、多方面に渡り、生活における楽しみを増進したり、留守を守るなどの生来の性格を発揮するが、ペットの飼育においては、以下に示すような問題点も存在する。即ち、
１）洗浄の困難性：  ペットの洗浄を行う時、ペットが動くので、洗浄者自身の衣類が汚れたり、ペットにより引っかかれたりする恐れがある。
２）ペットの診察時の困難性：  ペットを病院に連れて行くと、環境の変化や見知らぬ環境にペットが固定場所に適応できず、むやみに動いて、安定した診察が受けられないなどの問題がある。
【０００３】
上述のような欠点を改善するため、本考案は、ペット用固定保持機構を提供する。
【考案の開示】
【考案が解決しようとする課題】
【０００４】
本考案は、ペット用固定保持機構を提供することを主な目的とし、ペットの洗浄や理容或いは診察時に、ペットが動くのを防止し、使用者自身の安全が確保されると同時に、ペットの固定調整が可能でかつ固定保持機構の移動を可能とすることで、使用者は固定保持機構を移動させていかなる場所でも使用ができるようにすることを目的とする。  
【課題を解決するための手段】
【０００５】
本考案のペット用固定保持機構の主な特徴は、手動による移動が可能な架台となる固定保持機本体と、水平及び多角度調整が可能な調整装置とからなり、調整装置は、固定保持機本体の上部位置に設置され、本考案の固定保持機本体と調整装置により構成される固定保持機構の構造により、移動可能な固定保持機構及び固定保持機の調整が可能な調整装置の機能を達成する。
【考案の効果】
【０００６】
上述のようなペット用固定保持機構により、ペットの洗浄、理容、診察時に、ペットが適切な状態の姿勢で固定保持されると共に、使用者自身の安全が確保され、ペットの固定保持調整が可能でかつ固定保持機構の移動を可能とすることで、使用者は固定保持機構を移動させていかなる場所でも使用が可能である効果を奏する。
【考案を実施するための最良の形態】
【０００７】
以下、添付図面を参照して本考案の好適な実施の形態を詳細に説明する。
【実施例】
【０００８】
図１は、本考案のペット用固定保持機構を示す全体斜視図であって、ペット用固定保持機構１は、移動機能を有する固定保持機本体１０と、水平及び多角度に調整が可能な調整装置２０とからなる。前記調整装置２０は、固定保持機本体１０の上部位置に設置され、固定保持機本体１０と調整装置２０の組み合わせにより、固定保持機構１が構成されており、移動可能な固定保持機本体１０及び調整が可能な調整装置２０によりペットを固定できるようになっている。
【０００９】
図１〜図３を参照すると、本考案のペット用固定保持機構１の固定保持機本体１０は、底面開口の矩形箱状のベース１１、逆Ｕ字状の取手１２、前，後輪ユニット１３及び前，後脚架ユニット１４からなる。
【００１０】
図２で示されるように、ベース１１の前後の内側底縁には、それぞれ孔槽１１１を設け、前，後輪ユニット１３は、車軸１３１両端に軸設されたホイール１３２と、ホイール１３２外側表面のカバー１３３及び車輪１３２が枢支され、車軸１３１の両端近傍に所望距離を設けて取り付けたボルト１３４とからなる。  
前，後輪ユニット１３の組立て完成後、車軸１３１上に枢設されたボルト１３４は、対応するベース１１の前後の内側底縁に設置された孔槽１１１に挿設され、前，後輪ユニット１３は、それぞれ、ベース１１底部の前後位置に固定される。
【００１１】
前記ベース１１の前後の内側底縁に設けた孔槽１１１近くの所定位置には、それぞれ開孔１１２を有する収容空間１１３を形成している。前，後脚架ユニット１４は、ベース１１の左右方向に配設される軸棒１４１と、軸棒１４１両端に枢支された脚架１４２とからなり、脚架１４２は、貫通する開孔１４２１を有し、脚架１４２をベース１１内側底縁の前後に設けられた収容空間１１３内に配設され、前記開孔１４２１は、ベース１１の内側底縁の前後の収容空間１１３に設けた開孔１１２に対応し、各開孔１１２及び１４２１に軸棒１４１を貫通して軸設し、脚架１４２底部と平滑面が接触して、滑移するのを防止するため、脚架１４２底部に、滑り止めパッド１４２２を加設している。
【００１２】
更に、図３で示されるように、ベース１１の上部位置の前縁には、開孔１１４を設け、開孔１１４に対応する上方に、ピン１２１を有する取手２を設け、取手２を挿設する構造で、上述の各部材の組み合わせにより、本考案のペット用固定保持機構１の固定保持機本体１０を構成する。
【００１３】
図４及び図５を参照すると、本考案のペット用固定保持機構において、調整装置２０は、水平移動調整機構２１、押圧調整機構２２及び前，後ベース２３とからなり、図４で示されるように、前，後ベース２３は、相対する位置に設置され、ベース２３底部に近接する所定位置に、ベース２３を前後方向に貫通する軸孔２３１を備え、軸孔２３１両側にそれぞれ、開孔２３２を設けている。  
【００１４】
前記水平移動調整機構２１は、前，中，後の軸座２１１、基軸２１２及び固定部材２１３からなり、固定部材２１３は、それぞれ、ベース２３の軸孔２３１上に位置し、緊束リング２１３１、挟着キャップ２１３２及び固定片２１３３からなり、中央にはそれぞれ貫通する軸孔２１３１１、２１３２１、２１３３１を形成し、固定片２１３３の中央軸孔２１３３１を、挟着キャップ２１３２の外円に嵌合した後、更に、固定片２１３３の軸孔２１３３１両側に設けられた開孔２１３３２が、ベース２３の軸孔２１３３１両側に設けられた開孔２３２に対応し、ねじ係合方式で、固定片２１３３を固定すると同時に、挟着キャップ２１３２をベース２３が対応する軸孔２３１上に固定し、緊束リング２１３１を、挟着キャップ２１３２前端に嵌合させて、固定部材２１３の構造を構成する。
【００１５】
前記基軸２１２は、前，後固定部材２１３、前，後ベース２３及びベース２３間の中間軸座２１１の軸孔２１３１１、２１３２１、２１３３１、２１１１を貫通させた後、基軸２１２両端に設けた前，後軸座２１１の軸孔２１１１により、基軸２１２両端を固定し、水平状態に支承する目的を達成する。
上述の部材の組み合わせにより、本考案の調整装置２０の水平調整機構２１を構成する。
【００１６】
図５を参照すると、本考案のペット用固定保持機構において、前，後ベース２３は、L字型にほぼ近い形状で、垂直上向きに延伸する折曲部の側部位置に、前，後ベース２３を貫通する軸孔２３３が設けられている。前，後方向への押圧調整機構２２は、押圧棒２２１、調整棒２２２、固定部材２２３、連接ブロック２２４、挟接片２２５、間隔スリーブ２２６及び軸棒２２７とからなる。  
【００１７】
前記固定部材２２３は、前，後ベース２３両側に設置され、ベース２３両側の連接ブロック２２４の軸孔２２４１の上部位置に配置され、緊束リング２２３１、挟着キャップ２２３２及び固定片２２３３とからなり、中央にはそれぞれ貫通する軸孔２２３１１、２２３２１、２２３３１を形成し、固定片２２３３の中央軸孔２２３３１を、挟着キャップ２２３２の外円に嵌合した後、更に、固定片２２３３の軸孔２２３３１両側に設けられた開孔２２３３２が、連接ブロック２２４の軸孔２２４１両側に設けられた開孔２２４２に対応し、ねじ係合方式で固定片２２３３を固定すると同時に、挟着キャップ２２３２を、連接ブロック２２４が対応する軸孔２２４１上に固定し、緊束リング２２３１を、挟着キャップ２２３２前端に嵌合して、固定部材２２３の構造を構成する。
【００１８】
前記調整棒２２２一端は、固定部材２２３及び連接ブロック２２４の軸孔２２３１１、２２３２１、２２３３１、２２４１を貫通し、もう一端は、押圧棒２２１両端により、調整棒２２２の枢支孔２２２１に枢支し、軸棒２２７は、ベース２３の軸孔２３３を貫通し、軸棒２２７両端に間隔スリーブ２２６を配置した後、更に、挟着片２２５のノッチ２２５１を利用して、軸棒２２７両端に形成される環形槽２２７１を嵌入し、最後に、挟着片２２５のノッチ２２５１両側に設置された開孔２２５２が、連接ブロック２２４の開孔２２４３に対応し、ねじ係合方式で挟着片２２５を固定すると同時に、軸棒２２７両端を連接ブロック２２４の枢支孔２２４４内に固定し、これにより、押圧及び角度調整の目的を達成する。上述の部材の組み合わせにより、本考案の調整装置２０の押圧調整機構２２が構成されている。
【００１９】
上述の固定部材２１３、２２３中、挟着キャップ２１３２、２２３２は緊束リング２１３１の方に傘状の縮径口形態をなし、緊束リング２１３１、２２３１が、挟着キャップ２１３２、２２３２前端から、完全に、挟着キャップ２１３２、２２３２に係合されるか、螺設された後、挟着キャップ２１３２、２２３２と軸に接するもので生成される緊密度は、緩みから緊密に達し、定位機能を達成する。
【００２０】
図１と図６で示されるように、本考案のペット用固定保持機構において、固定保持機本体１０のベース１１の上部位置にトラック１１５を設け、トラック１１５表面に、前，中，後の孔槽１１６を形成する。調整装置２０の組み立て完了後、水平調整機構２１の前，中，後軸座２１１が、トラック１１５表面に設置された孔槽１１６に対応し、調整装置２０を固定保持機本体１０のベース１１の上部位置に位置決めし、調整装置２０の前，後ベース２４底部中間の所定位置に、トラック槽２３４を形成し、トラック槽２３４は、トラック１１５に対応し、調整装置２０の前，後ベース２３は、固定保持機本体１０のベース１１の上部位置をシフト調整し、上述の二つの構造組み立て後、図１で示されるような完全な構造になる。
【００２１】
図７で示されるように、本考案のペット用固定保持機構において、固定保持機構は、使用者の使用場所によって変換でき、固定保持機構の固定保持機本体１０の取手１２を押すことで車輪ユニット１３により移動させ、固定保持機構の移動機能を達成する。前記固定保持機構を所定位置に位置決めした後、固定保持機本体１０の脚架ユニット１４により、固定保持を持ち上げて、車輪ユニット１３を浮上状態にして全体を定置させ、脚架ユニット１４の軸棒１４１を旋回させて脚架１４２と軸棒１４１を同方向に動かし、これにより、脚架ユニット１４を収放して移動及び位置決め機能を達成する。
【００２２】
図８を参照すると、調整装置２０は、ペットの体格の大きさによって、使用者が所定の調整を加えることができ、その調整方式としては、ペットの前，後脚の内側距離、腹部の長さによって、水平調整機構２１を調整し、水平調整機構２１の固定部材２１３の緊束リング２１３１が、挟着キャップ２１３２を緩めた後、調整装置２０の前，後ベース２３の挟着キャップ２１３２が、水平調整機構２１の基軸２１２上で前後方向への調整を可能にし、調整位置決めの後、更に、水平調整機構２１の固定部材２１３の緊束リング２１３１が、挟着キャップ２１３２に、係合或いは螺合し、挟着キャップ２１３２が基軸２１２を緊束して、前，後ベース２３の所定位置決めの機能を獲得する。
【００２３】
この時、ペットの前，後脚の内側腹部の適所に、前，後ベース２３が相対する前縁頂部に形成された凹弧部２３５により、ペットの体を支承し、ペットの前後脚は、前，後ベース２３が形成するＬ字型の垂直部に位置させ、押圧調整機構２２により、適当にペットの前，後脚を押圧し、且つ、押圧の角度、押圧適所を調整することができ、その調整方式としては、押圧調整機構２２の固定部材２２３の緊束リング２２３１が挟着キャップ２２３２を緩めた後、調整棒２２２が、伸縮調整すると共に、押圧棒２２１を同方向に揺動させてシフト調整し、同時に、押圧棒２２１を付勢して押圧調整機構２２を駆動し、押圧角度の調整を達成する。
【００２４】
前記調整による位置決めの後、更に、押圧調整機構２２の固定部材２２３の緊束リング２２３１が挟着キャップ２２３２を係合或いは螺合し、挟着キャップ２２３２が調整棒２２２を緊束し、ペットの前，後脚の押圧及び押圧角度を位置決めする機能を達成する。ペットの前，後脚の押圧過程で過度な締め付けにより、ペットを傷つけたり、緩め過ぎて、ペットが逃げ出すなどの問題を解決するため、押圧棒２２１の外部に、スポンジ体やパッドなどの緩衝部材を設置し、上述の使用方式により、ペットの洗浄、理容、診察等が容易に行える。
【００２５】
本考案では好ましい実施例を前述の通り開示したが、これらは決して本考案に限定するものではなく、当該技術を熟知する者なら誰でも、本考案の精神と領域を脱しない範囲内で各種の変更を加えることができ、従って本考案の保護範囲は、実用新案登録請求の範囲で指定した内容を基準とする。
【図面の簡単な説明】
【００２６】
【図１】本考案のペット用固定保持機構の実施例を示す全体斜視図である。
【図２】本考案のペット用固定保持機構における固定保持機本体の説明斜視図である。
【図３】本考案のペット用固定保持機構における固定保持機本体の上面図でベースと取手取り付け部の分解図である。
【図４】本考案のペット用固定保持機構の実施例における調整装置の水平調整機構の分解斜視図である。
【図５】本考案のペット用固定保持機構の実施例における調整装置の押圧調整機構を示した分解斜視図である。
【図６】本考案のペット用固定保持機構の実施例における調整装置を固定保持機本体に組み付ける状態の分解斜視図である。
【図７】本考案のペット用固定保持機構の動作説明側面図である。
【図８】本考案のペット用固定保持機構の使用状態を示す動作説明側面図である。
【符号の説明】
【００２７】
１…固定保持機構
１０…固定保持機本体
１１，２３…ベース
１１１，１１６…孔槽
１１２，１１４，１４２１，２１３３２，２２３３２，２２４２，２２４３，２２５２，２３２…開孔
１１３…収容空間
１１５…トラック
１２…取手
１２１…ピン
１３…車輪ユニット
１４…前，後脚架ユニット
１３１…車軸
１３２…ホイール
１３３…ホイールカバー
１３４…ボルト
１４…脚架ユニット
１４１…軸棒
１４２…脚架
１４２２…滑り止めパッド
２０…調整装置
２１…水平調整機構
２１１…軸座
２１１１，２１３１１，２１３２１，２１３３１，２２３１１，２２３２１，２２３３１，２２４１，２３１，２３３…軸孔
２１２…基軸
２１３，２２３…固定部材
２１３１，２２３１…緊束リング
２１３２，２２３２…挟着キャップ
２１３３，２２３３…固定片
２２…押圧調整機構
２２１…押圧棒
２２２…調整棒
２２２１…枢支孔
２２４…連接ブロック
２２４４…枢支孔
２２５…挟接片
２２５１…ノッチ
２２６…間隔スリーブ
２２７…軸棒
２２７１…環形槽
２３…ベース
２３４…トラック層
２３５…凹弧部
【図１】
0003107598.tif 000003
【図２】
0003107598.tif 000004
【図３】
0003107598.tif 000005
【図４】
0003107598.tif 000006
【図５】
0003107598.tif 000007
【図６】
0003107598.tif 000008
【図７】
0003107598.tif 000009
【図８】
0003107598.tif 000010